(57)【要約】【課題】高気温時に製パン作業を行ってもふくらみ具合の良いパンが得られるようにする。【解決手段】自動製パン器１は、製パン原料を入れたパン容器３０を本体１０内の焼成室１１に受け入れ、製パン原料の混練工程、発酵工程、及び焼成工程を順次遂行する。操作パネル２２に設けられた高気温対応コースキー５７を押すと、高気温対応コースが実行される。高気温対応コースでは、焼成工程を除き、混練工程、ベンチタイム、及び発酵工程の少なくとも一つが通常コースよりも時間を短縮して実行される。【選択図】図３
2010137002.tif 000002
【特許請求の範囲】
【請求項１】
製パン原料を入れたパン容器を本体内の焼成室に受け入れ、前記製パン原料の混練工程、ベンチタイム、まるめ工程、発酵工程、及び焼成工程を順次遂行する自動製パン器において、
前記焼成工程を除く前記混練工程、ベンチタイム、及び発酵工程の少なくとも一つの時間を通常コースよりも短縮した高気温対応コースを設定したことを特徴とする自動製パン器。
【請求項２】
室温を検知する温度センサを備え、室温が過発酵温度であることを前記温度センサが検知したとき、制御部は前記通常コースでなく前記高気温対応コースを選択することを特徴とする請求項１に記載の自動製パン器。
【請求項３】
前記高気温対応コースを選択する専用キーを設けたことを特徴とする請求項１または２に記載の自動製パン器。
【発明の詳細な説明】
【技術分野】
【０００１】
本発明は、主として一般家庭で使用される自動製パン器に関する。
【背景技術】
【０００２】
市販の家庭用自動製パン器は、製パン原料を入れたパン容器を本体内の焼成室に入れ、パン容器内の製パン原料を回転羽根で混練して捏ね上げ、発酵工程を経た後、パン容器をそのままパン焼き型としてパンを焼き上げる仕組みのものが一般的である。そのような自動製パン器の構造例を図１、２に示す。図１、２はいずれも自動製パン器の垂直断面図であって、図１は蓋を閉じた状態の図、図２は蓋を開けた状態の図である。
【０００３】
自動製パン器１は本体１０と本体の蓋２０を備える。本体１０の内部には上面が開口した焼成室１１が設けられ、この上面開口を蓋２０が閉ざす。焼成室１１にはパン容器３０が入れられる。
【０００４】
焼成室１１は水平断面矩形の周側壁１１ａと底壁１１ｂを備え、底壁１１ｂの焼成室中央にあたる箇所にはパン容器支持部１２が固定されている。パン容器支持部１２の内部は、底壁１１ｂに形成された開口部を通じ、焼成室１１側に露出する。パン容器支持部１２は、パン容器３０の底面に固定された筒状の台座３１をバヨネット結合で連結してパン容器３０を支える役割と、パン容器３０内の回転羽根３２にその回転軸３３を介して動力を伝える回転軸１３を支持する役割の両方を担う。パン容器支持部１２の下面から突き出した回転軸１３の下端にはプーリ１４が固定される。プーリ１４は底壁１１ｂの下面に固定されたモータ１５の出力軸プーリ１６にベルト１７で連結されている。
【０００５】
焼成室１１の周側壁１１ａの前面と本体１０の正面側外殻との間の空間には制御部１８が配置される。制御部１８は、焼成室１１の内側に配置した温度センサ１９からの信号と、後述する操作パネルから入力される指令を受けて、自動製パン器１の動作制御を行う。
【０００６】
蓋２０は自動製パン器１の背面側において本体１０に蝶番軸２１で連結され、蝶番軸２１を中心として垂直面内で回動する。蓋２０には、前端より少し後方に寄った位置に、透明合成樹脂のレンズをはめ込んだ覗き窓２０ａが設けられている。
【０００７】
本体１０の前部上方の角部には操作パネル２２が配置される。操作パネル２２には、パンの種類（小麦粉パン、米粉パンなど）の選択キー、調理内容の選択キー、タイマーセットキー、スタートキー、取り消しキーなどといった操作キー群と、設定された調理内容やタイマー予約時刻などを表示する表示部が設けられている。
【０００８】
パン容器３０はバケツのような形状をしており、口縁部には手提げ用のハンドル（図示せず）が取り付けられている。パン容器３０の水平断面形状は、四隅を丸めた矩形であり、その中心で回転羽根３２が回転する。回転羽根３２は、台座３１の中心に軸支された回転軸３３の上端の非円形断面部に単なるはめ込みで取り付けられており、工具を用いることなく着脱することができる。このため、異なる種類の回転羽根３２に容易に交換可能である。
【０００９】
回転軸３３は回転軸１３に連結され、回転軸１３より動力を伝達されるものであるが、その動力伝達手段としては台座３１に囲い込まれるカップリング３４が用いられる。すなわち、カップリング３４を構成する２部材のうち、一方は回転軸３３の下端に固定され、他方は回転軸１３の上端に固定される。
【００１０】
台座３１の外周面には、パン容器支持部１２の内周面に形成された突起３５ａと共に周知のバヨネット結合部を構成する突起３５ｂが形成されている。パン容器３０を、突起３５ａと３５ｂが干渉しない角度に保ちつつ、台座３１をパン容器支持部１２の中に落とし込み、パン容器３０をひねって突起３５ａの下に突起３５ｂを係合させれば、パン容器３０は上方に抜けなくなり、同時にカップリング３４の連結も達成される。パン容器３０のひねり方向は回転羽根３２の回転方向に一致させてあるので、回転羽根３２が回転してもパン容器３０が外れることはない。ここでは、パン容器３０のひねり方向と回転羽根３２の回転方向は、共に上から見て時計方向に設定されている。
【００１１】
焼成室１１の内部に配置された加熱装置４０がパン容器３０を包囲し、製パン原料を加熱する。加熱装置４０はシーズヒータ４１により構成される。シーズヒータ４１には耐熱ケーブル４２を通じて電流が供給される。
【００１２】
自動製パン器１における製パン作業の概要は次の通りである。小麦粉、水、バターなどの製パン原料を入れたパン容器３０を焼成室１１に入れてパン容器支持部１２に取り付け、回転軸３３を回転軸１３に連結した後、パン容器３０にドライイーストを投入し、蓋２０を閉じる。操作パネル２２よりパンの種類や調理内容の入力を行い、スタートキーを押すと、製パン作業が開始される。
【００１３】
製パン作業の最初は混練工程である。制御部１８はモータ１５を駆動して回転羽根３２を回転させ、また加熱装置４０に通電して焼成室１１の温度を上げる。回転羽根３２が回転するに従い製パン原料は混練され、粘度の高いパン生地（dough）に転じて行く。回転羽根３２がパン生地を振り回してパン容器３０の内壁にたたきつけることにより、混練に「捏ね」の要素が加わることになる。
【００１４】
混練工程を終えたら発酵工程に移る。制御部１８は加熱装置４０の通電を制御して焼成室１１を所定の温度に維持し、製パン原料を発酵させる。
【００１５】
発酵工程後、制御部１８は所定の通電パターンで加熱装置４０に通電し、パン生地をパンに焼き上げる。操作パネル２２の表示部に製パン完了のサインが出るか、あるいは製パン完了の報知音があった後、使用者は図２のように蓋２０を開けて完成品のパンＢと共にパン容器３０を取り出す。
【００１６】
自動製パン器の中には、複数種類の製パンプログラムを備えたものがある。例えば特許文献１には、米粉を主原料として、捏ね―生地休め―生地丸め―成形発酵―焼成を行う第一工程と、小麦粉を主原料として、捏ね―一次発酵―ガス抜き―生地休め―生地丸め―成形発酵―焼成を行う第二工程を選択可能とした自動製パン器が記載されている。特許文献２には、白食パンコースとライ麦パンコースを選択できる自動製パン器が記載されている。
【特許文献１】特許第３９１３７４２号公報
【特許文献２】特開２００８−３６４４４号公報
【発明の開示】
【発明が解決しようとする課題】
【００１７】
自動製パン器は、一般的には、四季の中でも中庸の気候（春、秋）で使用するように設計されている。そのため、夏季等、室温が過発酵温度（例えば３０℃以上）となっているときに使用すると、パン生地の発酵が進みすぎ、焼き上がったときに却ってふくらみのないパンになってしまう。本発明はこの点に鑑みなされたものであり、高気温時に製パン作業を行ってもふくらみ具合の良いパンが得られるようにすることを目的とする。
【課題を解決するための手段】
【００１８】
本発明は、製パン原料を入れたパン容器を本体内の焼成室に受け入れ、前記製パン原料の混練工程、ベンチタイム、まるめ工程、発酵工程、及び焼成工程を順次遂行する自動製パン器において、前記焼成工程を除く前記混練工程、ベンチタイム、及び発酵工程の少なくとも一つの時間を通常コースよりも短縮した高気温対応コースを設定したことを特徴としている。
【００１９】
この構成によると、高気温対応コースを選択することにより、高気温時にもパン生地の過発酵を抑制して、ふくらみ具合の良いパンを得ることができる。
【００２０】
また本発明は、上記構成の自動製パン器において、室温を検知する温度センサを備え、室温が過発酵温度であることを前記温度センサが検知したとき、制御部は前記通常コースでなく前記高気温対応コースを選択することを特徴としている。
【００２１】
この構成によると、室温が過発酵温度であるときは自動的に高気温対応コースが選択されるから、使用者は製パンコースの選択を間違えないで済む。
【００２２】
また本発明は、上記構成の自動製パン器において、前記高気温対応コースを選択する専用キーを設けたことを特徴としている。
【００２３】
この構成によると、高気温対応コースを容易に選択することができる。
【発明の効果】
【００２４】
本発明によると、高気温時にもパン生地の過発酵を抑制して、ふくらみ具合の良いパンを得ることができる。また、気温による影響の少ない焼成工程を除き、それ以外の気温に影響される工程を短縮して、短い時間でパンを完成させることができる。
【発明を実施するための最良の形態】
【００２５】
以下、本発明の実施形態を図３から図７に基づき説明する。図３は自動製パン器の操作パネルの正面図、図４は小麦粉食パン通常コースの工程表、図５は小麦粉食パン高気温対応コースの工程表、図６は米粉食パン通常コースの工程表、図７は米粉食パン高気温対応コースの工程表である。
【００２６】
本発明の実施形態に係る自動製パン器は、図１、２の自動製パン器１に図３に示す操作パネル２２を備えさせたものとして具現化されている。操作パネル２２は、液晶表示パネルからなる表示部５０、メニューキー５１、ベーカリーコースランプ５１ａ、スタートキー５２、取り消しキー５３、タイマーセットキー５４ａ、５４ｂ、天然酵母パンコースキー５５、天然酵母パンコースランプ５５ａ、５５ｂ、米粉パンコースキー５６、米粉パンコースランプ５６ａ、５６ｂ、高気温対応コースキー５７、及び高気温対応コースランプ５７ａを備える。ベーカリーコースランプ５１ａ、天然酵母パンコースランプ５５ａ、５５ｂ、米粉パンコースランプ５６ａ、５６ｂ、及び高気温対応コースランプ５７ａはいずれもＬＥＤからなる。
【００２７】
表示部５０は、自動製パン器１が電源ＯＮの状態にあるかどうか、現在時刻、メニューキー５１により選択したメニューの種類、スタートキー５２による製パン作業スタート、取り消しキー５３による選択の解除や製パン作業中止、タイマーセットキー５４ａ、５４ｂでセットしたパンや生地の完成予定時間などの情報を表示する。
【００２８】
メニューキー５１は、小麦粉を主原料とするパンを焼く「ベーカリーコース」を選択するときに用いる。メニューキー５１を押すとベーカリーコースランプ５１ａが点灯し、ベーカリーコースが選択されたことを表示する。ベーカリーコースのメニューは、デフォルトでは「１  食パン」となっているが、メニューキー５１を押す度に「２  食パン（おいそぎ）」「３  食パン（焼色濃）」「４  グルメパン」「５  フランスパン」「６  パン生地」「７  ピザ生地」「８  ジャム」と切り替わって行く。選択されたメニューは表示部５０に表示される。「８  ジャム」の後でもう一度メニューキー５１を押すと、ベーカリーコースの選択が解除され、ベーカリーコースランプ５１ａは消灯する。
【００２９】
スタートキー５２は、自動製パン器１を電源ＯＮまたは電源ＯＦＦの状態にし、また、製パン作業（生地づくりやジャムづくりの作業を含む）をスタートさせるのに用いる。
【００３０】
取り消しキー５３は、各種選択や設定を取り消したり、作業を中止したりするのに用いる。
【００３１】
タイマーセットキー５４ａ、５４ｂは、パンや生地の完成時間を設定するのに用いる。タイマーセットキー５４ａを押すと完成時間が繰り下げられ、タイマーセットキー５４ｂを押すと完成時間が繰り上げられる。
【００３２】
天然酵母パンコースキー５５は、小麦粉を主原料とし、元種を水と混合して得られる天然酵母で発酵を行わせる「天然酵母パンコース」を選択するときに用いる。天然酵母パンコースのメニューは「食パン」と「パン生地」の二通りである。最初天然酵母パンコースキー５５を押すと、デフォルトで「食パン」が選択され、天然酵母パンコースランプ５５ａが点灯する。天然酵母パンコースキー５５をもう一度押すと「パン生地」が選択され、天然酵母パンコースランプ５５ａが消灯し、天然酵母パンコースランプ５５ｂが点灯する。天然酵母パンコースキー５５をさらにもう一度押すと、天然酵母パンコースの選択が解除され、天然酵母パンコースランプ５５ｂも消灯する。
【００３３】
米粉パンコースキー５６は、米粉を主原料とするパンを焼く「米粉パンコース」を選択するときに用いる。米粉パンコースのメニューは「食パン」と「パン生地」の二通りである。最初米粉パンコースキー５６を押すと、デフォルトで「食パン」が選択され、米粉パンコースランプ５６ａが点灯する。米粉パンコースキー５６をもう一度押すと「パン生地」が選択され、米粉パンコースランプ５６ａが消灯し、米粉パンコースランプ５６ｂが点灯する。米粉パンコースキー５６をさらにもう一度押すと、米粉パンコースの選択が解除され、米粉パンコースランプ５６ｂも消灯する。
【００３４】
高気温対応コースキー５７（キーの表示は「夏コース」となっている）は、自動製パン器１の周囲の気温が過発酵温度（例えば３０℃以上）となっているとき、「高気温対応コース」を選択するのに用いる。高気温対応コースキー５７を押すと高気温対応コースランプ５７ａが点灯し、高気温対応コースが選択されたことを表示する。高気温対応コースキー５７をもう一度押すと高気温対応コースの選択が解除され、高気温対応コースランプ５７ａは消灯する。
【００３５】
続いて、製パン作業における通常コースと高気温対応コースの違いを説明する。高気温対応コースでは、焼成工程を除き、混練工程、ベンチタイム、及び発酵工程の少なくとも一つの時間が通常コースよりも短縮される。
【００３６】
図４に示す小麦粉食パン通常コースは、混練工程（１３分）→発酵工程（一次発酵：４８分５０秒）→ガス抜き工程（１０秒）→ベンチタイム（３５分）→まるめ工程（１分）→発酵工程（成型発酵：１時間）→焼成工程（４７分）からなり、トータルタイムは３時間２５分である。なお、図４の例に限らず、本明細書に登場する具体的な時間や温度はあくまでも一つの例であり、発明の内容を限定するものではない。
【００３７】
混練工程において、回転羽根はパターン１（１０．８rpm）で３０秒間回転し、次いでパターン２（１８．０rpm）で２分間回転し、次いでパターン３（５４rpm）で３０秒間回転し、最後に定格回転数（１８０rpm）で１０分間連続回転する。
【００３８】
発酵工程（一次発酵）では回転羽根の回転が止まり、パン生地は３２℃で４８分５０秒寝かせられる。
【００３９】
ガス抜き工程では回転羽根が定格回転数で１０秒間連続回転し、パン生地の中に溜まったガスを抜く。
【００４０】
ベンチタイムではパン生地が３５分間静置される。
【００４１】
まるめ工程では回転羽根が混練工程における定格回転数（１８０rpm）の２割未満の回転数で２分間以下の時間回転する。ここではパターン１（１０．８rpm）で前半３０秒間回転し、パターン２（１８．０rpm）で後半３０秒間回転する設定となっている。パターン２の回転数１８．０rpmはパターン１の回転数１０．８rpmの１．５倍以上２倍未満の範囲にある。
【００４２】
発酵工程（成型発酵：最終の発酵工程である）では回転羽根の回転が止まり、パン生地は３８℃で１時間寝かせられる。
【００４３】
焼成工程では４７分間焼成が行われる。
【００４４】
図５に示す小麦粉食パン高気温対応コースは、混練工程（１１分）→発酵工程（一次発酵：４３分５０秒）→ガス抜き工程（１０秒）→ベンチタイム（３０分）→まるめ工程（１分）→発酵工程（成型発酵：５５分）→焼成工程（４７分）からなり、トータルタイムは３時間８分である。
【００４５】
混練工程において、回転羽根はパターン１（１０．８rpm）で３０秒間回転し、次いでパターン２（１８．０rpm）で２分間回転し、次いでパターン３（５４rpm）で３０秒間回転し、最後に定格回転数（１８０rpm）で８分間連続回転する。
【００４６】
発酵工程（一次発酵）では回転羽根の回転が止まり、パン生地は３２℃で４３分５０秒寝かせられる。
【００４７】
ガス抜き工程では回転羽根が定格回転数で１０秒間連続回転し、パン生地の中に溜まったガスを抜く。
【００４８】
ベンチタイムではパン生地が３０分間静置される。
【００４９】
まるめ工程では回転羽根が混練工程における定格回転数（１８０rpm）の２割未満の回転数で２分間以下の時間回転する。ここではパターン１（１０．８rpm）で前半３０秒間回転し、パターン２（１８．０rpm）で後半３０秒間回転する設定となっている。パターン２の回転数１８．０rpmはパターン１の回転数１０．８rpmの１．５倍以上２倍未満の範囲にある。
【００５０】
発酵工程（成型発酵：最終の発酵工程である）では回転羽根の回転が止まり、パン生地は３８℃で５５分間寝かせられる。
【００５１】
焼成工程では４７分間焼成が行われる。
【００５２】
室温が過発酵温度の時、高気温対応コースで小麦粉食パンを焼いたところ、過発酵が抑制され、ふくらみ具合の良好なパンを得ることができた。
【００５３】
また高気温対応コースでは製パン時間が短縮されるので、電力消費量を削減することができた。
【００５４】
図６に示す米粉食パン通常コースは、混練工程（１６分）→ベンチタイム（２６分）→まるめ工程（１分）→発酵工程（成型発酵：５７分）→焼成工程（５０分）からなり、トータルタイムは２時間３０分である。
【００５５】
混練工程において、回転羽根はパターン１（１０．８rpm）で３０秒間回転し、次いでパターン２（１８．０rpm）で２分間回転し、次いでパターン３（５４rpm）で３０秒間回転し、最後に定格回転数（１８０rpm）で１３分間連続回転する。
【００５６】
ベンチタイムではパン生地が２６分間静置される。
【００５７】
まるめ工程では回転羽根が混練工程における定格回転数（１８０rpm）の２割未満の回転数で２分間以下の時間回転する。ここではパターン１（１０．８rpm）で前半３０秒間回転し、パターン２（１８．０rpm）で後半３０秒間回転する設定となっている。パターン２の回転数１８．０rpmはパターン１の回転数１０．８rpmの１．５倍以上２倍未満の範囲にある。
【００５８】
発酵工程（成型発酵：最終の発酵工程である）では回転羽根の回転が止まり、パン生地は３８℃で５７分間寝かせられる。
【００５９】
焼成工程では５０分間焼成が行われる。
【００６０】
図７に示す米粉食パン高気温対応コースは、混練工程（１３分）→ベンチタイム（２３分）→まるめ工程（１分）→発酵工程（成型発酵：５０分）→焼成工程（５０分）からなり、トータルタイムは２時間１７分である。
【００６１】
混練工程において、回転羽根はパターン１（１０．８rpm）で３０秒間回転し、次いでパターン２（１８．０rpm）で２分間回転し、次いでパターン３（５４rpm）で３０秒間回転し、最後に定格回転数（１８０rpm）で１０分間連続回転する。
【００６２】
ベンチタイムではパン生地が２３分間静置される。
【００６３】
まるめ工程では回転羽根が混練工程における定格回転数（１８０rpm）の２割未満の回転数で２分間以下の時間回転する。ここではパターン１（１０．８rpm）で前半３０秒間回転し、パターン２（１８．０rpm）で後半３０秒間回転する設定となっている。パターン２の回転数１８．０rpmはパターン１の回転数１０．８rpmの１．５倍以上２倍未満の範囲にある。
【００６４】
発酵工程（成型発酵：最終の発酵工程である）では回転羽根の回転が止まり、パン生地は３８℃で５０分間寝かせられる。
【００６５】
焼成工程では５０分間焼成が行われる。
【００６６】
室温が過発酵温度の時、高気温対応コースで米粉食パンを焼いたところ、過発酵が抑制され、ふくらみ具合の良好なパンを得ることができた。
【００６７】
また高気温対応コースでは製パン時間が短縮されるので、電力消費量を削減することができた。
【００６８】
図５の小麦粉食パン高気温対応コースでは、混練工程、発酵工程（一次発酵）、ベンチタイム、発酵工程（成型発酵）の全てが通常コースよりも時間短縮され、図７の米粉食パン高気温対応コースでは、混練工程、ベンチタイム、発酵工程の全てが通常コースよりも時間短縮されている。このように混練工程、ベンチタイム、発酵工程の全てを通常コースよりも時間短縮するというのは、必須要件ではない。それらのうち一つの時間を短縮しただけでもふくらみ具合の良好なパンを得ることができる。焼成工程だけは、所定の焼き加減を確保するため、高気温対応コースであっても通常コースと同じ時間にしておく。
【００６９】
制御部１８が自動的に高気温対応コースを選択するように構成することもできる。そのためには、本体１０のどこかに室温を検知する温度センサを設けておく。この温度センサが、室温が過発酵温度であることを検知したとき、制御部１８は自動的に高気温対応コースを選択するように設定する。このようにすれば、室温が過発酵温度であるときは自動的に高気温対応コースが選択されるから、使用者は製パンコースの選択を間違えないで済む。なお、高気温対応コース自動選択機能を備えた自動製パン器１であっても、高気温対応コースキー５７は取り除かないでおき、使用者の自由意思で高気温対応コースを選択する余地を残しておくことが好ましい。
【００７０】
以上、本発明の実施形態につき説明したが、本発明の範囲はこれに限定されるものではなく、発明の主旨を逸脱しない範囲で種々の変更を加えて実施することができる。
【産業上の利用可能性】
【００７１】
本発明は、主として一般家庭で使用される自動製パン器に広く利用可能である。
【図面の簡単な説明】
【００７２】
【図１】蓋を閉じた状態の自動製パン器の垂直断面図
【図２】蓋を開いた状態の自動製パン器の垂直断面図
【図３】自動製パン器の操作パネルの正面図
【図４】小麦粉食パン通常コースの製パン工程表
【図５】小麦粉食パン高気温対応コースの製パン工程表
【図６】米粉食パン通常コースの製パン工程表
【図７】米粉食パン高気温対応コースの製パン工程表
【符号の説明】
【００７３】
１    自動製パン器
１０  本体
１１  焼成室
１８  制御部
２０  蓋
２２  表示部
３０  パン容器
４０  加熱装置
【図１】
2010137002.tif 000003
【図２】
2010137002.tif 000004
【図３】
2010137002.tif 000005
【図４】
2010137002.tif 000006
【図５】
2010137002.tif 000007
【図６】
2010137002.tif 000008
【図７】
2010137002.tif 000009